(57)【要約】【課題】排水ますに接続される管路に異常が発生した場合、排水の流路を円滑に切り替えることができ、かつ、排水に含まれる異物が溝部に詰まることを防止することができる排水ますを提供する。【解決手段】排水ます２０は、流入側インバート３２ａおよび第１流出口３３と連通する第１流出側インバート３３ａと、流入側インバート３２ａおよび第２流出口３４と連通する第２流出側インバート３４ａと、第１流出側インバート３３ａに設けられた第１溝部４１と、第２流出側インバート３４ａに設けられた第２溝部４２と、を有するます本体２１と、第１溝部４１に着脱自在に設けられ、第１溝部４１を埋める溝埋め部材２３と、第２溝部４２に着脱自在に設けられ、排水の流れを塞き止める仕切部材２２とを備えている。【選択図】図４
2015145582.tif 000002
【特許請求の範囲】
【請求項１】
上方に開口する点検口と、側部に形成され、排水が流入する流入口と、側部に形成され、排水が流出する第１流出口と、側部に形成され、排水が流出する第２流出口と、内部に設けられ、上流端が前記流入口と連通する流入側インバートと、内部に設けられ、上流端が前記流入側インバートの下流部と連通し、下流端が前記第１流出口と連通する第１流出側インバートと、内部に設けられ、上流端が前記流入側インバートの下流部と連通し、下流端が前記第２流出口と連通する第２流出側インバートと、前記第１流出側インバートに設けられた第１溝部と、前記第２流出側インバートに設けられた第２溝部と、を有する有底筒状のます本体と、
前記第１溝部に着脱自在に設けられ、前記第１溝部を埋める溝埋め部材と、
前記第２溝部に着脱自在に設けられ、排水の流れを塞き止める仕切部材と、
を備えた、排水ます。
【請求項２】
前記仕切部材は、前記第１溝部に着脱自在に設けられ、
前記溝埋め部材は、前記第２溝部に着脱自在に設けられる、請求項１に記載された排水ます。
【請求項３】
前記第１溝部および前記第２溝部は、可撓性を有する部材によって形成されている、請求項１または２に記載された排水ます。
【請求項４】
前記仕切部材には、取っ手が設けられている、請求項１から３までの何れか一つに記載された排水ます。
【請求項５】
前記溝埋め部材には、取っ手が設けられている、請求項１から４までの何れか一つに記載された排水ます。
【請求項６】
前記溝埋め部材は、開口部を有する板状の部材である、請求項１から５までの何れか一つに記載された排水ます。
【請求項７】
前記溝埋め部材の前記開口部の半径は、前記第１流出側インバートおよび前記第２流出側インバートのそれぞれの溝の深さと同じ、または前記深さよりも長い、請求項１から６までの何れか一つに記載された排水ます。
【請求項８】
前記ます本体は、
側部に形成され、排水が流出する第３流出口と、
内部に設けられ、上流端が前記流入側インバートの下流部と連通し、下流端が前記第３流出口と連通する第３流出側インバートと、
前記第３流出側インバートに設けられ、前記仕切部材または前記溝埋め部材が着脱自在に設けられる第３溝部と、
を備えた、請求項１から７までの何れか一つに記載された排水ます。
【請求項９】
請求項１から８までの何れか一つに記載された排水ますと、
上流端が排水設備に接続され、下流端が前記流入口に接続された流入管路と、
上流端が前記第１流出口および前記第２流出口のうち一方に接続され、下流端が下水本管に接続された第１流出管路と、
上流端が前記第１流出口および前記第２流出口のうち他方に接続された第２流出管路と、
前記第２流出管路の下流端に接続された貯留槽と、
を備えた、排水システム。
【発明の詳細な説明】
【技術分野】
【０００１】
本発明は、排水ますおよびそれを備えた排水システムに関する。
【背景技術】
【０００２】
従来から、排水設備から下水本管に排水を排出する排水システムが知られている。排水設備としては、例えば、トレイ、風呂、または台所の流し台等が挙げられる。この種の排水システムは、排水設備と下水本管とを繋ぐ流出管路を備えている。排水設備から流出する排水は、流出管路を通じて下水本管へ排出される。
【０００３】
特許文献１には、三方向流入型の排水ますが開示されている。この排水ますは、複数の流入管路にそれぞれ連通する複数の上流側排水路と、流出管路に連通する下流側排水路とを備えている。そして、複数の上流側排水路の出口側には、それぞれ溝状の嵌合部（例えば、溝部）が形成されている。これら複数の上流側排水路のうち何れか一つの上流側排水路が使用される。使用されない上流側排水路に形成された嵌合部には、使用されない上流側排水路を閉塞する仕切板が装着されている。特許文献１に記載された排水ますでは、使用される上流側排水路から排水ます内に流入した排水は、下流側排水路へ流れる。このとき、使用されない上流側排水路は、仕切板によって閉塞されているため、使用される上流側排水路から流入する排水は、使用されない上流側排水路へ流れない。
【先行技術文献】
【特許文献】
【０００４】
【特許文献１】特開平７−２７９２３５号公報
【発明の概要】
【発明が解決しようとする課題】
【０００５】
ところで、大規模な地震または津波等の災害が発生した場合、下水本管が破損するおそれがある。下水本管が破損してしまった場合、下水本管から排水が外部に漏れてしまうおそれがある。
【０００６】
そこで、本願出願人は、特許文献１に記載された排水ますを、三方向流出型の排水ますとして使用することを検討した。すなわち、排水設備に接続された流入管路を下流側排水路と連通させ、複数の流出管路を、それぞれ複数の上流側排水路に連通させる。そして、複数の流出管路のうち一の流出管路を下水本管に接続し、他の流出管路を排水を貯留する貯留槽に接続する。通常時には、排水を下水本管に流し、かつ、貯留槽に流さないように、貯留槽に接続された流出管路に連通する上流側排水路の嵌合部に仕切板を装着する。一方、下水本管等が破損した災害時には、排水を貯留槽に流し、かつ、下水本管に流さないように、下水本管に接続された流出管路に連通する上流側排水路の嵌合部に仕切板を装着する。このことによって、災害時において、下水本管等が破損して、排水設備から流出する排水を下水本管に流せない場合であっても、その排水を貯留槽に流すことができる。よって、下水本管が破損した場合であっても排水設備を使用することができる。
【０００７】
しかし、特許文献１に記載された排水ますにおいて、使用される上流側排水路に形成された溝状の嵌合部には、仕切板が装着されていない。使用される上流側排水路に形成された嵌合部は、露出している。そのため、排水に含まれるトイレットペーパー等の異物が、この嵌合部に詰まってしまうおそれがあった。また、排水ますの流路を切り替える際、嵌合部に異物が詰まっていると、その嵌合部に仕切板を円滑に装着することができないおそれがあった。
【０００８】
本発明はかかる点に鑑みてなされたものであり、その目的は、排水の流路に溝部を備えた排水ますであって、排水ますに接続される管路に排水の漏洩等の異常が発生した場合、排水の流路を円滑に切り替えることができ、かつ、排水に含まれる異物が溝部に詰まることを防止することができる排水ますおよびそれを備えた排水システムを提供することである。
【課題を解決するための手段】
【０００９】
本発明に係る排水ますは、上方に開口する点検口と、側部に形成され、排水が流入する流入口と、側部に形成され、排水が流出する第１流出口と、側部に形成され、排水が流出する第２流出口と、内部に設けられ、上流端が前記流入口と連通する流入側インバートと、内部に設けられ、上流端が前記流入側インバートの下流部と連通し、下流端が前記第１流出口と連通する第１流出側インバートと、内部に設けられ、上流端が前記流入側インバートの下流部と連通し、下流端が前記第２流出口と連通する第２流出側インバートと、前記第１流出側インバートに設けられた第１溝部と、前記第２流出側インバートに設けられた第２溝部と、を有する有底筒状のます本体と、前記第１溝部に着脱自在に設けられ、前記第１溝部を埋める溝埋め部材と、前記第２溝部に着脱自在に設けられ、排水の流れを塞き止める仕切部材と、を備えている。
【００１０】
前記排水ますによれば、流入口からます本体内に流入する排水が第１流出口から流出する場合、溝埋め部材は第１溝部に装着され、仕切部材は第２溝部に装着される。よって、流入口からます本体内に流入する排水は、第２流出口へ流れずに、流入側インバートおよび第１流出側インバートを通って第１流出口へ流れる。このとき、第１溝部は、溝埋め部材によって埋められているため、排水に含まれる異物が第１溝部に詰まることを防止することができる。
【００１１】
本発明の好ましい一態様によれば、前記仕切部材は、前記第１溝部に着脱自在に設けられる。前記溝埋め部材は、前記第２溝部に着脱自在に設けられる。
【００１２】
上記態様によれば、流入口からます本体内に流入する排水が第２流出口から流出する場合、溝埋め部材は第２溝部に装着され、仕切部材は第１溝部に装着される。よって、流入口からます本体内に流入する排水は、第１流出口へ流れずに、流入側インバートおよび第２流出側インバートを通って第２流出口へ流れる。このとき、第２溝部は、溝埋め部材によって埋められているため、排水に含まれる異物が第２溝部に詰まることを防止することができる。
【００１３】
仮に、第１流出口に接続された管路に排水の漏洩等の異常が発生した場合、流入口から流入する排水を第２流出口からます本体の外部へ流出するように、排水の流路を変更する。このとき、仕切部材を第２溝部から取り外し、かつ、溝埋め部材を第１溝部から取り外す。そして、仕切部材を第１溝部に装着し、溝埋め部材を第２溝部に装着する。このとき、第１溝部および第２溝部には、異物が詰まっていないため、仕切部材および溝埋め部材を容易に装着することができる。したがって、排水の流路を円滑に切り替えることができる。
【００１４】
本発明の好ましい他の一態様によれば、前記第１溝部および前記第２溝部は、可撓性を有する部材によって形成されている。
【００１５】
上記態様によれば、仕切部材は、第１溝部および第２溝部に密着して装着される。よって、第１溝部に仕切部材を装着したとき、仕切部材と第１溝部との間から排水が流れることをより防止することができる。一方、第２溝部に仕切部材を装着したとき、仕切部材と第２溝部との間から排水が流れることをより防止することができる。また、溝埋め部材は、第１溝部および第２溝部に密着して装着される。よって、第１溝部に溝埋め部材を装着したとき、第１溝部に異物が詰まることをより防止することができる。一方、第２溝部に溝埋め部材を装着したとき、第２溝部に異物が詰まることをより防止することができる。
【００１６】
本発明の好ましい他の一態様によれば、前記仕切部材には、取っ手が設けられている。
【００１７】
上記態様によれば、作業者が第１溝部および第２溝部に仕切部材を着脱し易くなる。
【００１８】
本発明の好ましい他の一態様によれば、前記溝埋め部材には、取っ手が設けられている。
【００１９】
上記態様によれば、作業者が第１溝部および第２溝部に溝埋め部材を着脱し易くなる。
【００２０】
本発明の好ましい他の一態様によれば、前記溝埋め部材は、開口部を有する板状の部材である。
【００２１】
上記態様によれば、溝埋め部材は板状の部材であるから、作業者は溝埋め部材を第１溝部および第２溝部に着脱し易い。流入口からます本体内に流入する排水が第１流出口からます本体の外部へ流出するとき、溝埋め部材は第１溝部に装着される。このとき、流入口から流入する排水を、溝埋め部材の開口部を通って第１流出口へ流すことができる。一方、流入口からます本体内に流入する排水が第２流出口からます本体の外部へ流出するとき、溝埋め部材は第２溝部に装着される。このとき、流入口から流入する排水を、溝埋め部材の開口部を通って第２流出口へ流すことができる。
【００２２】
本発明の好ましい他の一態様によれば、前記溝埋め部材の前記開口部の半径は、前記第１流出側インバートおよび前記第２流出側インバートのそれぞれの溝の深さと同じ、または前記深さよりも長い。
【００２３】
上記態様によれば、開口部から排水が流れ易くなる。
【００２４】
本発明の好ましい他の一態様によれば、前記ます本体は、側部に形成され、排水が流出する第３流出口と、内部に設けられ、上流端が前記流入側インバートの下流部と連通し、下流端が前記第３流出口と連通する第３流出側インバートと、前記第３流出側インバートに設けられ、前記仕切部材または前記溝埋め部材が着脱自在に設けられる第３溝部と、を備えている。
【００２５】
上記態様によれば、仮に、第２流出口側に他の管路等の物体が配置されており、第２流出口に管路が接続できない場合であっても、第３流出口に管路を接続することができる。よって、第１流出口に接続された管路に排水の漏洩等の異常が発生した場合であっても、排水の流路を切り替えて、流入口からます本体内に流入する排水を流入側インバートおよび第３流出側インバートを通じて第３流出口からます本体の外部へ流出させることができる。
【００２６】
本発明の排水システムは、上述した何れか一つに記載された排水ますと、上流端が排水設備に接続され、下流端が前記流入口に接続された流入管路と、上流端が前記第１流出口および前記第２流出口のうち一方に接続され、下流端が下水本管に接続された第１流出管路と、上流端が前記第１流出口および前記第２流出口のうち他方に接続された第２流出管路と、前記第２流出管路の下流端に接続された貯留槽と、を備えている。
【００２７】
前記排水システムによれば、第１流出管路または下水本管が破損した場合であっても、排水ますによって排水の流路を切り替えることで、排水設備から流入管路に流入する排水を、排水ますを通じて、第２流出管路から貯留槽へ排出することができる。
【発明の効果】
【００２８】
本発明によれば、排水の流路に溝部を備えた排水ますであって、排水ますに接続される管路に排水の漏洩等の異常が発生した場合、排水の流路を円滑に切り替えることができ、かつ、排水に含まれる異物が溝部に詰まることを防止することができる排水ますおよびそれを備えた排水システムを提供することができる。
【図面の簡単な説明】
【００２９】
【図１】第１実施形態に係る排水システムの平面図である。
【図２】第１実施形態に係る排水システムの正面図である。
【図３】第１実施形態に係る排水システムの背面図である。
【図４】排水ますの平面図である。
【図５】ます本体の平面図である。
【図６】ます本体の正面図である。
【図７】ます本体の右側面図である。
【図８】仕切板の正面図である。
【図９】仕切板の側面図である。
【図１０】仕切板を第１溝部に装着した状態を示す図である。
【図１１】溝埋め板の正面図である。
【図１２】溝埋め板の側面図である。
【図１３】溝埋め板を第１溝部に装着した状態を示す図である。
【図１４】溝埋め板を第１溝部に装着した状態を示す図である。
【図１５】災害時モードにおける、仕切板および溝埋め板の配置状態を示した図である。
【図１６】第２実施形態に係る排水システムの平面図である。
【発明を実施するための形態】
【００３０】
以下、図面を参照しながら、本発明に係る排水ますおよび排水システムの各実施形態について説明する。ここで説明される各実施形態は、当然ながら特に本発明を限定することを意図したものではない。また、同じ作用を奏する部材・部位には同じ符号を付し、重複する説明は省略または簡略化する。
【００３１】
＜第１実施形態＞
まず、第１実施形態に係る排水システム１Ａについて説明する。図１は、第１実施形態に係る排水システム１Ａの平面図である。図２は、排水システム１Ａの正面図である。図３は、排水システム１Ａの背面図である。図１に示すように、排水システム１Ａは、排水が流れるシステムである。ここで、「排水」には、汚水および雨水が含まれる。「汚水」とは、トイレ、風呂、および台所の流し台等から排出される水であり、そのままでは河川に放流させることができないものである。本実施形態では、トイレ、風呂、および台所の流し台等のように、汚水が排出される設備を排水設備５とする。「雨水」とは、降雨などの自然現象に起因する水であり、そのまま河川に放流させることができるものである。ここでは、排水システム１Ａは、排水のうち排水設備５から流出する汚水が流れるシステムである。しかし、排水システム１Ａは、雨水が流れるシステムであってもよい。この場合、排水設備５は、雨水が集約される側溝等に置換される。本実施形態では、図２に示すように、排水システム１Ａは、地中に埋設されている。排水システム１Ａは、排水管路１０と、排水の流路が切り替えることが可能な排水ます２０と、貯留槽７０とを備えている。
【００３２】
排水管路１０は、特に図示はしていないが、下流に向かって下方に傾斜している。図１に示すように、排水管路１０は、流入管路１１と、第１流出管路１２と、第２流出管路１３とを備えている。流入管路１１には、排水設備５から排出される汚水が流入する。流入管路１１の上流端は、排水設備５に接続されている。流入管路１１の下流端は、排水ます２０の流入口３２に接続されている。
【００３３】
図２に示すように、第１流出管路１２の上流端は、排水ます２０の第１流出口３３に接続されている。第１流出管路１２の下流端は、汚水を汚水処理場等に導く下水本管１５に接続されている。第１流出管路１２内には、公共ます１６が設けられている。図３に示すように、第２流出管路１３の上流端は、排水ます２０の第２流出口３４に接続されている。第２流出管路１３の下流端は、汚水を貯留する貯留槽７０に接続されている。なお、「管路」とは、水を流通させる通路を意味する。「管路」は、一本の配管によって構成されていてもよいし、本実施形態のように、複数本の配管とそれら配管を接続する継手によって構成されていてもよい。
【００３４】
次に、本実施形態に係る排水ます２０について説明する。排水ます２０は、排水（本実施形態では汚水）の流路を切り替えが可能なますである。排水ます２０は、排水管路１０の途中箇所に設けられている。図４は、排水ます２０の平面図である。図４に示すように、排水ます２０は、ます本体２１と、仕切板２２と、溝埋め板２３とを備えている。
【００３５】
図５は、ます本体２１の平面図である。図６は、ます本体２１の正面図である。図７は、ます本体２１の右側面図であり、第１流出口３３側から見た図である。図６に示すように、ます本体２１は、有底筒状の部材である。ます本体２１は、内部に空間を有する。ます本体２１の上部には、上方に開口する点検口３１が形成されている。ます本体２１の側部には、側方に開口する流入口３２、第１流出口３３、第２流出口３４（図７参照）および第３流出口３５が形成されている。図５に示すように、ます本体２１の内部には、流入側インバート３２ａと、第１流出側インバート３３ａと、第２流出側インバート３４ａと、第３流出側インバート３５ａとが設けられている。
【００３６】
点検口３１は、作業者がます本体２１の内部に破損または詰まり等がないかのメンテナンスを行う部位である。図６に示すように、点検口３１は、流入口３２、第１流出口３３、第２流出口３４（図７参照）および第３流出口３５よりも大きく開口している。点検口３１の内径は、流入口３２、第１流出口３３、第２流出口３４および第３流出口のそれぞれの内径よりも長い。そのため、作業者は、点検口３１を通じて、ます本体２１の内部の上記メンテナンスを容易に行うことができる。図２に示すように、点検口３１には、点検筒１７が接続されている。ここでは、点検筒１７の上端が地面と略同じ高さに配置されるように、排水ます２０は地中に埋設されている。作業者は、点検筒１７を通じて、ます本体２１の内部の上記メンテナンスを行う。なお、点検筒１７の上端には、蓋１８が配置されている。通常時、点検筒１７は、蓋１８によって閉じられている。
【００３７】
流入口３２は、ます本体２１の側部に設けられている。ここでは、流入口３２には、汚水が流入する。本実施形態では、流入口３２は、配管が挿入される受口であるが、配管に挿入される差口であってもよい。図１に示すように、前述の通り、流入口３２には流入管路１１が接続される。なお、本実施形態では流入口３２には、流入管路１１の一部をなす配管が直接接続されるが、流入口３２に上記配管が他の部材などを介して間接的に接続されていてもよい。
【００３８】
第１流出口３３は、ます本体２１の側部に設けられている。ここでは、図５に示すように、第１流出口３３は、平面視において、流入口３２と対向している。第１流出口３３から汚水が流出する。本実施形態では、第１流出口３３は受口であるが、第１流出口３３は差口であってもよい。図１に示すように、前述の通り、第１流出口３３には、第１流出管路１２が接続される。第１流出口３３には、第１流出管路１２の一部をなす配管が直接接続されていてもよく、上記配管が他の部材を介して間接的に接続されていてもよい。
【００３９】
図７に示すように、第２流出口３４は、ます本体２１の側部に設けられている。ここでは、図５において、ます本体２１の左側（流入口３２が設けられている側）を上流側、右側（第１流出口３３が設けられている側）を下流側としたとき、第２流出口３４は、ます本体２１の側部の下流側に設けられている。第２流出口３４から汚水が流出する。本実施形態では、第２流出口３４は受口であるが、第２流出口３４は差口であってもよい。図１に示すように、前述の通り、第２流出口３４には、第２流出管路１３が接続される。第２流出口３４には、第２流出管路１３の一部をなす配管が直接接続されていてもよく、上記配管が他の部材を介して間接的に接続されていてもよい。
【００４０】
図６に示すように、第３流出口３５は、ます本体２１の側部に設けられている。ここでは、図５に示すように、第３流出口３５は、ます本体２１の側部の下流側に設けられている。第３流出口３５は、第２流出口３４と対向するように、第２流出口３４の反対側に配置されている。第３流出口３５は、平面視において、第１流出口３３の中心軸を中心として第２流出口３４と線対称の位置に配置されている。第３流出口３５から汚水が流出することが可能である。ただし、本実施形態では、第３流出口３５には、排水管路１０の一部をなす配管が接続されていない。ここでは、第３流出口３５は使用されないものである。
【００４１】
なお、本実施形態では、図６に示すように、流入口３２と第１流出口３３と第２流出口３４（図７参照）と第３流出口３５とは、ます本体２１の側部の同じ高さの位置に設けられている。また、流入口３２と第１流出口３３と第２流出口３４と第３流出口３５とは、同じ大きさで開口しており、それらの底部は同じ高さに位置している。ただし、流入口３２と第１流出口３３と第２流出口３４と第３流出口３５との高さおよび開口の大きさの関係は特に限定されない。例えば、流入口３２は、第１流出口３３、第２流出口３４および第３流出口３５よりも高い位置に設けられていてもよい。また、流入口３２と第１流出口３３と第２流出口３４と第３流出口３５とは、それぞれ異なる大きさで開口していてもよい。
【００４２】
図５に示すように、流入側インバート３２ａは、ます本体２１の底面に設けられている。流入側インバート３２ａは、半管状の形状を有している。流入側インバート３２ａは、直線状の溝である。流入側インバート３２ａの上流端は、流入口３２と連通している。流入側インバート３２ａは、流入口３２と連続している。
【００４３】
第１流出側インバート３３ａ、第２流出側インバート３４ａおよび第３流出側インバート３５ａは、ます本体２１の底面に設けられている。第１流出側インバート３３ａ、第２流出側インバート３４ａおよび第３流出側インバート３５ａは、半管状の形状を有している。
【００４４】
第１流出側インバート３３ａの上流端は、流入側インバート３２ａの下流部と連通している。第１流出側インバート３３ａの上流端は、流入側インバート３２ａの下流部と連続している。第１流出側インバート３３ａの下流端は、第１流出口３３と連通している。第１流出側インバート３３ａの下流端は、第１流出口３３と連続している。第２流出側インバート３４ａの上流端は、流入側インバート３２ａの下流部と連通し、連続している。第２流出側インバート３４ａの下流端は、第２流出口３４と連通し、連続している。第３流出側インバート３５ａの上流端は、流入側インバート３２ａの下流端と連通し、連続している。第３流出側インバート３５ａの下流端は、第３流出口３５と連通し、連続している。
【００４５】
なお、本実施形態では、流入側インバート３２ａと第２流出側インバート３４ａとの間、第２流出側インバート３４ａと第１流出側インバート３３ａとの間、第１流出側インバート３３ａと第３流出側インバート３５ａとの間、および、第３流出側インバート３５ａと流入側インバート３２ａとの間には、それぞれ土手部３９が設けられている。土手部３９のそれぞれは、流入側インバート３２ａ、第１流出側インバート３３ａ、第２流出側インバート３４ａおよび第３流出側インバート３５ａよりも上方に配置されている。土手部３９によって、流入側インバート３２ａと、第１流出側インバート３３ａと、第２流出側インバート３４ａと、第３流出側インバート３５ａとは、区画されている。
【００４６】
ます本体２１は、第１溝部４１と、第２溝部４２と、第３溝部４３とを備えている。第１溝部４１は、第１流出側インバート３３ａに設けられている。第２溝部４２は、第２流出側インバート３４ａに設けられている。第３溝部４３は、第３流出側インバート３５ａに設けられている。
【００４７】
本実施形態では、第１溝部４１と、第２溝部４２と、第３溝部４３とは同様の構成をしている。そのため、ここでは、第１溝部４１について詳細に説明し、第２溝部４２および第３溝部４３の説明は省略する。ただし、以下の説明において、第２溝部４２の場合、第１流出側インバート３３ａは第２流出側インバート３４ａに置換され、第３溝部４３の場合、第１流出側インバート３３ａは第３流出側インバート３５ａに置換される。第１溝部４１は、第１流出側インバート３３ａの上流部に設けられている。ここでは、第１溝部４１は、第１流出側インバート３３ａと流入側インバート３２ａとが連続する位置の近傍に設けられている。ただし、第１溝部４１の位置は、第１流出側インバート３３ａの下流部に配置されてもよい。第１溝部４１は、平面視において、点検口３１の内側に配置されている。第１溝部４１は、第１流出側インバート３３ａの上流部を横切るようにして上流部の内周面に配置されている。ただし、第１溝部４１は、第１流出側インバート３３ａの上流部の上部の内周面にのみ配置されていてもよい。第１溝部４１は、平面視において、直線状の溝である。第１溝部４１は、可撓性を有する部材によって形成されている。本実施形態では、第１溝部４１は、ゴム製である。
【００４８】
次に、仕切板２２について説明する。本実施形態では、仕切板２２が「仕切部材」に対応する。図４に示すように、仕切板２２は、第１溝部４１、第２溝部４２または第３溝部４３に着脱自在に設けられるものである。仕切板２２は、第１溝部４１に装着されたとき、第１流出口３３に汚水が流出することを塞き止める。同様に、仕切板２２は、第２溝部４２に装着されたとき、第２流出口３４に汚水が流出することを塞き止め、第３溝部４３に装着されたとき、第３流出口３５に汚水が流出することを塞き止める。仕切板２２は、平面視において、点検口３１の内部に設けられている。このことによって、作業者は、点検口３１を通じて仕切板２２を着脱することができる。図８は、仕切板２２の正面図である。図９は、仕切板２２の側面図である。図１０は、仕切板２２を第１溝部４１に装着した状態を示す図である。本実施形態では、図１０に示すように、仕切板２２は、第１溝部４１、第２溝部４２または第３溝部４３に嵌る。図８に示すように、仕切板２２は、略半月形状をした板状の部材である。
【００４９】
仕切板２２は、第１溝部４１、第２溝部４２および第３溝部４３に対応した形状をしており、ここでは、仕切板２２の上端面を除く端面は湾曲している。仕切板２２の上端面を除く端面には、可撓性を有する可撓部材５１が設けられている。可撓部材５１は、仕切板２２の左右両側端および下端に設けられている。図９に示すように、可撓部材５１は、仕切板２２の厚み方向に対して略中央に配置されているが、仕切板２２の厚み方向に対して一端側に配置されていてもよい。可撓部材５１は、例えば、ゴム製である。図１０に示すように、第１溝部４１、第２溝部４２または第３溝部４３には、仕切板２２の可撓部材５１が嵌る。このことによって、第１溝部４１、第２溝部４２または第３溝部４３に仕切板２２を密着して装着することができる。なお、本実施形態では、仕切板２２は２つある。
【００５０】
図８に示すように、仕切板２２の上端面には、取っ手５２が設けられている。取っ手５２の形状は特に限定されないが、ここでは、取っ手５２は、仕切板２２の上端面から上方に延びており、中央部分に空間を有している。取っ手５２は、仕切板２２と一体であってもよいし、別体であってもよい。
【００５１】
次に、溝埋め板２３について説明する。本実施形態では、溝埋め板２３が「溝埋め部材」に対応する。図４に示すように、溝埋め板２３は、第１溝部４１、第２溝部４２または第３溝部４３に着脱自在に設けられるものである。溝埋め板２３は、第１溝部４１に装着されたとき、第１溝部４１の溝を埋める。同様に、溝埋め板２３は、第２溝部４２に装着したとき、第２溝部４２の溝を埋め、第３溝部４３に装着したとき、第３溝部４３の溝を埋める。溝埋め板２３は、平面視において、点検口３１の内部に設けられている。このことによって、作業者は、点検口３１を通じて溝埋め板２３を着脱することができる。図１１は、溝埋め板２３の正面図である。図１２は、溝埋め板２３の側面図である。図１３および図１４は、溝埋め板２３を第１溝部４１に装着した状態を示す図である。本実施形態では、図１３に示すように、溝埋め板２３は、第１溝部４１、第２溝部４２または第３溝部４３に嵌る。図１１に示すように、溝埋め板２３は、略半月形状をした板状の部材である。溝埋め板２３は、第１溝部４１、第２溝部４２および第３溝部４３に対応した形状をしており、ここでは、溝埋め板２３の左右両側端および下端は湾曲している。溝埋め板２３の上端面を除く端面には、可撓性を有する可撓部材６１が設けられている。可撓部材６１は、例えば、ゴム製である。図１３に示すように、第１溝部４１、第２溝部４２または第３溝部４３には、溝埋め板２３の可撓部材６１が嵌る。このことによって、第１溝部４１、第２溝部４２または第３溝部４３に溝埋め板２３を密着して装着することができる。
【００５２】
図１１に示すように、溝埋め板２３には、開口部６２が設けられている。開口部６２は、溝埋め板２３の中央部分に設けられている。開口部６２の形状は特に限定されないが、ここでは、図１４に示すように、開口部６２は円形状である。開口部６２の半径Ｌ１は、第１流出側インバート３３ａ、第２流出側インバート３４ａおよび第３流出側インバート３５ａのそれぞれの溝の深さＬ２と同じ長さである。開口部６２は、第１流出側インバート３３ａ、第２流出側インバート３４ａおよび第３流出側インバート３５ａの開口断面よりも大きい。なお、開口部６２の半径Ｌ１は、第１流出側インバート３３ａ、第２流出側インバート３４ａおよび第３流出側インバート３５ａの溝の深さＬ２よりも長くてもよい。ただし、開口部６２が円形状ではなく、例えば四角形状の場合、「開口部の半径」とは、その開口部６２の面積と同じ面積における円形状の半径（すなわち、等価直径／２）となる。
【００５３】
図１１に示すように、溝埋め板２３の上端面には、取っ手６３が設けられている。取っ手６３の形状は特に限定されないが、ここでは、取っ手６３は、溝埋め板２３の上端面から上方に延びており、中央部分に空間を有している。取っ手６３は、溝埋め板２３と一体であってもよいし、別体であってもよい。
【００５４】
次に、貯留槽７０について説明する。図３に示すように、貯留槽７０は、排水設備５から排出された汚水を貯留する槽である。貯留槽７０は、タンクによって構成されており、内部に密封された空間を有している。貯留槽７０の側面上部には、排水口７１が形成されている。排水口７１には、第２流出管路１３の下流端が接続されており、第２流出管路１３を介して排水ます２０の第２流出口３４が接続されている。
【００５５】
貯留槽７０の上面には、鉛直方向に円筒７８が突設されている。円筒７８は、上端が地面と略同一の高さとなるようにして、貯留槽７０の上面に設けられている。作業者は、円筒７８を通じて、浄化槽７０の内部を保守および点検することができる。なお、通常時において、円筒７８の上部は蓋７９によって閉塞されている。
【００５６】
次に、本実施形態に係る排水システム１Ａおよび排水ます２０の利用方法について説明する。排水システム１Ａは、通常時は排水設備５から流出する汚水を下水本管１５に排出し、地震または津波等の災害が発生して第１流出管路１２または下水本管１５が破損したときには、排水ます２０の流路を切り替えて、排水設備５から排出する汚水を貯留槽７０へ排出するように用いられる。以下の説明では、通常時の利用態様を通常時モードといい、災害時の利用態様を災害時モードということとする。
【００５７】
図４に示すように、通常時モードでは、排水ます２０の流入口３２からます本体２１内に流入した汚水が、第１流出口３３から流出して、下水本管１５に排出されるように、２つの仕切板２２および溝埋め板２３を配置する。具体的には、一の仕切板２２は、第２流出側インバート３４ａに設けられた第２溝部４２（図５参照）に装着される。他の仕切板２２は、第３流出側インバート３５ａに設けられた第３溝部４３（図５参照）に装着される。また、第１流出側インバート３３ａに設けられた第１溝部４１（図５参照）には、溝埋め板２３が装着される。
【００５８】
図１に示すように、通常時モードでは、排水設備５から流出した汚水は、流入管路１１を流れた後、排水ます２０の流入口３２からます本体２１内に流入する。図４に示すように、ます本体２１内に流入した汚水は、流入側インバート３２ａを通過する。その後、汚水は、溝埋め板２３の開口部６２（図１１参照）を通った後、第１流出側インバート３３ａを通り、第１流出口３３からます本体２１の外へ流出する。なお、このとき、第２流出側インバート３４ａの第２溝部４２には、仕切板２２が装着されている。そのため、汚水は、仕切板２２によって、第２流出口３４に流れない。第３流出側インバート３５ａの第３溝部４３には、同様に仕切板２２が装着されている。そのため、汚水は、仕切板２２によって、第３流出口３５には流れない。また、第１流出側インバート３３ａの第１溝部４１には、溝埋め板２３が装着されている。このことによって、汚水に含まれる異物が第１溝部４１に引っ掛かることを防止している。図１に示すように、第１流出口３３から流出した汚水は、第１流出管路１２を流れ、下水本管１５に排出される。下水本管１５に排出された汚水は、汚水処理場等に導かれ、浄化処理される。
【００５９】
災害時モードでは、排水ます２０によって汚水の流路を切り替えて、流入口３２からます本体２１内に流入した汚水が、第２流出口３４から流出して、貯留槽７０に排出されるように、２つの仕切板２２および溝埋め板２３の配置を変更する。図１５は、災害時モードにおける、仕切板２２および溝埋め板２３の配置状態を示した図である。具体的には、作業者は、図４に示すように、第２流出側インバート３４ａの第２溝部４２（図５参照）に装着された仕切板２２、および、第１流出側インバート３３ａの第１溝部４１（図５参照）に装着された溝埋め板２３を取り外す。次に、図１５に示すように、作業者は、第２溝部４２に溝埋め板２３を装着し、第１溝部４１に仕切板２２を装着する。なお、第３溝部４３には、仕切板２２が装着された状態である。
【００６０】
図１に示すように、災害時モードでは、排水設備５から流出した汚水は、第１流出管路１１を流れた後、排水ます２０の流入口３２からます本体２１内に流入する。図１５に示すように、ます本体２１内に流入した汚水は、流入側インバート３２ａを通過する。その後、汚水は、溝埋め板２３の開口部６２（図１１参照）を通った後、第２流出側インバート３４ａを通り、第２流出口３４からます本体２１の外へ流出する。なお、このとき、第１溝部４１および第３溝部４３には、それぞれ仕切板２２が装着されているため、汚水は、第１流出口３３および第３流出口３５に流れない。また、第２流出側インバート３４ａの第２溝部４２には、溝埋め板２３が装着されている。このことによって、汚水に含まれる異物が第２溝部４２に引っ掛かることを防止している。図１に示すように、第２流出口３４から流出した汚水は、第２流出管路１３を通じて貯留槽７０へ排出され、貯留される。貯留槽７０に貯留された汚水は、例えば、吸引ポンプ（図示せず）によって吸い上げられる。この場合、作業者は、貯留槽７０の上面に設けられた円筒７８の上部を閉塞する蓋７９を取り外し、円筒７８を介して貯留槽７０に上記吸引ポンプを挿入する。そして、上記吸引ポンプによって、貯留槽７０に貯留された汚水を外部へ吸い上げる。
【００６１】
以上のように、本実施形態では、図４に示すように、通常時モードにおいて、流入口３２からます本体２１内に流入した汚水が第１流出口３３から流出するために、２つの仕切板２２は、それぞれ第２溝部４２（図５参照）および第３溝部４３（図５参照）に装着され、溝埋め板２３は第１溝部４１（図５参照）に装着される。流入口３２から流入する汚水は、仕切板２２によって、第２流出口３４および第３流出口３５へ流れずに、流入側インバート３２ａおよび第１流出側インバート３３ａを通って第１流出口３３へ流れる。このとき、第１溝部４１は、溝埋め板２３によって埋められているため、汚水に含まれる異物が第１溝部４１に詰まることを防止することができる。その後、図１に示すように、第１流出口３３からます本体２１内に流出した汚水は、第１流出管路１２を通って下水本管１５に排出される。よって、通常時モードにおいて、排水設備５から流出した汚水を下水本管１５へ排出することができる。
【００６２】
一方、災害時モードでは、流入口３２からます本体２１内に流入する汚水が第２流出口３４から流出するように、排水ます２０によって汚水の流路を変更する。このとき、図４に示すように、第１溝部４１に装着された溝埋め板２３、および、第２溝部４２に装着された仕切板２２を取り外す。そして、図１５に示すように、第１溝部４１に仕切板２２を装着し、第２溝部４２に溝埋め板２３を装着する。このとき、第１溝部４１および第２溝部４２には、汚水に含まれる異物が詰まっていないため、仕切板２２および溝埋め板２３を容易に装着することができる。したがって、汚水の流路を円滑に切り替えることができる。
【００６３】
災害時モードでは、流入口３２からます本体２１内に流入する汚水は、第１流出口３３および第３流出口３５へ流れずに、流入側インバート３２ａおよび第２流出側インバート３４ａを通って第２流出口３４へ流れる。このとき、第２流出側インバート３４ａに設けられた第２溝部４２は、溝埋め板２３によって埋められているため、汚水に含まれる異物が第２溝部４２に詰まることを防止することができる。その後、図１に示すように、第２流出口３４から流出した汚水は、第２流出管路１３を通って貯留槽７０に排出される。よって、災害時モードにおいて、排水設備５から流出した汚水を貯留槽７０へ排出することができる。
【００６４】
本実施形態では、図５に示すように、第１溝部４１、第２溝部４２および第３溝部４３は、可撓性を有する部材によって形成されている。このことによって、図１０に示すように、仕切板２２は、第１溝部４１、第２溝部４２および第３溝部４３に密着して装着される。よって、第１溝部４１に仕切板２２を装着したとき、仕切板２２と第１溝部４１との間から汚水が流れることをより防止することができる。同様に、第２溝部４２に仕切板２２を装着したとき、および、第３溝部４３仕切板２２を装着したとき、第２溝部４２と仕切板２２との間、および、第３溝部４３と仕切板２２との間から汚水が流れることをより防止することができる。また、図１３に示すように、溝埋め板２３は、第１溝部４１、第２溝部４２および第３溝部４３に密着して装着される。よって、第１溝部４１に溝埋め板２３を装着したとき、第１溝部４１に異物が詰まることをより防止することができる。同様に、第２溝部４２に溝埋め板２３を装着したとき、および、第３溝部４３に溝埋め板２３を装着したとき、第２溝部４２および第３溝部４３に異物が詰まることをより防止することができる。
【００６５】
本実施形態では、図８に示すように、仕切板２２には、取っ手５２が設けられている。このことによって、作業者が取っ手５２を把持して、第１溝部４１、第２溝部４２および第３溝部４３に仕切板２２を着脱し易くなる。
【００６６】
また、本実施形態では、図１１に示すように、溝埋め板２３には、取っ手６３が設けられている。このことによって、作業者が取っ手６３を把持して、第１溝部４１、第２溝部４２および第３溝部４３に溝埋め板２３を着脱し易くなる。
【００６７】
本実施形態では、溝埋め板２３は、開口部６２を有する板状の部材である。このことによって、溝埋め板２３は、第１溝部４１、第２溝部４２および第３溝部４３に対して着脱し易くなる。また、通常時モードにおいて、流入口３２からます本体２１内に流入した汚水を、溝埋め板２３の開口部６２を通って第１流出口３３へ流すことができる。一方、災害時モードにおいて、流入口３２からます本体２１内に流入した汚水を、溝埋め板２３の開口部６２を通って第２流出口３４へ流すことができる。
【００６８】
また、本実施形態では、図１４に示すように、溝埋め板２３の開口部６２の半径Ｌ１は、第１流出側インバート３３ａ、第２流出側インバート３４ａおよび第３流出側インバート３５ａのそれぞれの溝の深さＬ２と同じ長さである。このことによって、開口部６２から汚水が流れ易くなる。
【００６９】
本実施形態では、図３に示すように、貯留槽７０が接続された第２流出口３４は、ます本体２１の側部に形成されている。よって、貯留槽７０をできるだけ浅い位置に埋設することができる。そのため、貯留槽７０を埋設するための作業時間を短縮することができると共に、貯留槽７０を埋設するための作業コストを削減することができる。
【００７０】
以上、第１実施形態に係る排水システム１Ａについて説明した。しかし、本発明に係る排水システムは、第１実施形態に係る排水システム１Ａに限らず、他の種々の形態で実施することができる。次に、他の実施形態について簡単に説明する。なお、以下の説明では、既に説明した構成と同様の構成は同じ符号を付し、その説明は省略することとする。
【００７１】
＜第２実施形態＞
第１実施形態では、排水ます２０の第２流出口３４には、貯留槽７０が接続された第２流出管路１３が接続されていた。排水ます２０の第３流出口３５には、排水管路１０の一部をなす配管が接続されておらず、第３流出口３５は使用されないものであった。
【００７２】
図１６は、第２実施形態に係る排水システム１Ｂの平面図である。図１６に示すように、排水システム１Ｂの排水管路１０は、第３流出管路１４を備えている。第３流出管路１４の上流端は、排水ます２０の第３流出口３５に接続されている。第３流出管路１４の下流端は、汚水を貯留する貯留槽７０に接続されている。排水ます２０の第２流出口３４には、排水管路１０の一部をなす配管が接続されていない。ここでは、第２流出口３４は、使用されないものである。なお、本実施形態では、第１実施形態と同様に、第２流出口３４と第３流出口３５とは、ます本体２１に設けられ、対向した位置に配置されている。
【００７３】
次に、本実施形態に係る排水システム１Ｂの利用方法について説明する。通常時モードでは、第１実施形態と同様であるため、その詳しい説明は省略する。災害時モードでは、排水ます２０によって汚水の流路を切り替えて、流入口３２からます本体２１内に流入した汚水が、第３流出口３５から流出して、貯留槽７０に排出されるように、２つの仕切板２２および溝埋め板２３の配置を変更する。具体的には、図４に示すように、作業者は、第３流出側インバート３５ａの第３溝部４３（図５参照）に装着された仕切板２２、および、第１流出側インバート３３ａの第１溝部４１（図５参照）に装着された溝埋め板２３を取り外す。次に、作業者は、第３溝部４３に溝埋め板２３を装着し、第１溝部４１に仕切板２２を装着する。なお、第２溝部４２には、仕切板２２が装着された状態である。
【００７４】
図１６に示すように、災害時モードでは、排水設備５から流出した汚水は、第１流出管路１１を流れた後、排水ます２０の流入口３２からます本体２１内に流入する。ます本体２１内に流入した汚水は、流入側インバート３２ａを通過する。その後、汚水は、溝埋め板２３の開口部６２（図１１参照）を通った後、第３流出側インバート３５ａを通り、第３流出口３５からます本体２１の外へ流出する。なお、このとき、第１溝部４１および第２溝部４２には、それぞれ仕切板２２が装着されているため、汚水は、第１流出口３３および第２流出口３４には流れない。また、第３流出側インバート３５ａの第３溝部４３には、溝埋め板２３が装着されている。このことによって、汚水に含まれる異物が第３溝部４３に引っ掛かることを防止している。第３流出口３５から流出した汚水は、第３流出管路１４を通じて貯留槽７０へ排出され、貯留される。
【００７５】
本実施形態では、仮に、第２流出口３４側に他の管路等の物体が配置されおり、第２流出口３４に排水管路１０の一部をなす配管が接続できない場合、または、第２流出口３４側に貯留槽７０が配置できない場合であっても、第３流出口３５側に貯留槽７０を配置し、第３流出口３５に、貯留槽７０が接続された第３流出管路１４を接続することができる。よって、災害時において、汚水の流路を切り替えて、流入口３２からます本体２１内に流入する汚水を第３流出口３５からます本体２１の外部へ流出させることができる。
【００７６】
＜他の実施形態＞
上記各実施形態では、溝埋め部材は、板状の溝埋め板であった。しかし、本発明の溝埋め部材は、図１１に示すような可撓部材６１のみであってもよいし、可撓部材６１と、可撓部材６１の両端に設けられた取っ手とを有するものであってもよい。
【００７７】
上記各実施形態では、排水ます２０のます本体２１の側部には、３つの流出口（第１流出口３３、第２流出口３４および第３流出口３５）が設けられていた。しかし、本発明の排水ますは、第３流出口３５を省略することが可能である。すなわち、本発明の排水ますは、第１流出口３３および第２流出口３４の２つの流出口が設けられてもよい。また、本発明の排水ますは、ます本体の側部に４つ以上の複数の流出口が設けられてもよい。この場合、ます本体の内部には、複数の流出口のそれぞれと連通する複数の流出側インバートが設けられているとよい。また、複数の流出側インバートのそれぞれには、仕切部材および溝埋め部材が着脱自在な溝部が設けられているとよい。
【００７８】
上記各実施形態において、図４に示すように、第１流出口３３は、流入口３２と対向する位置に設けられていた。しかし、第１流出口３３は、流入口３２側から見て、ます本体２１の左側に設けられてもよい。第１流出口３３の位置と第２流出口３４の位置とを入れ替えてもよい。この場合、第１流出側インバート３３ａが第２流出側インバート３４ａとなり、第２流出側インバート３４ａが第１流出側インバート３３ａとなる。また、第１流出口３３は、流入口３２側から見て、ます本体２１の右側に設けられてもよい。第１流出口３３の位置と第３流出口３５の位置とを入れ替えてもよい。この場合、第１流出側インバート３３ａが第３流出側インバート３５ａとなり、第３流出側インバート３５ａが第１流出側インバート３３ａとなる。
【００７９】
上記各実施形態では、第１溝部４１と、第２溝部４２と、第３溝部４３とは、平面視において、それぞれ直線状の溝であった。しかし、第１溝部４１と、第２溝部４２と、第３溝部４３とは、平面視において、それぞれ湾曲した溝であってもよいし、屈曲した溝であってもよい。この場合、仕切板２２および溝埋め板２３は、共に第１溝部４１と第２溝部４２と第３溝部４３とに対応する形状であるとよい。また、第１溝部４１と、第２溝部４２と、第３溝部４３とは、それぞれ異なる形状であってもよい。この場合、第１溝部４１専用、第２溝部４２専用、および、第３溝部４３専用の３つの仕切板２２および３つの溝埋め板２３が用いられるとよい。
【００８０】
また、本発明の排水システムは、第１実施形態および第２実施形態を組み合わせたものであってもよい。すなわち、第２流出口３４に第２流出管路１３の上流端が接続され、かつ、第３流出口３５に第３流出管路１４の上流端が接続されていてもよい。この場合、第２流出管路の下流端と第３流出管路の下流端とには、同一の貯留槽が接続されていてもよいし、異なる貯留槽が接続されていてもよい。
【符号の説明】
【００８１】
１Ａ、１Ｂ  排水システム
１１  流入管路
１２  第１流出管路
１３  第２流出管路
２０  排水ます
２１  ます本体
２２  仕切板（仕切部材）
２３  溝埋め板（溝埋め部材）
３１  点検口
３２  流入口
３２ａ  流入側インバート
３３  第１流出口
３３ａ  第１流出側インバート
３４  第２流出口
３４ａ  第２流出側インバート
４１  第１溝部
４２  第２溝部
７０  貯留槽
【図１】
2015145582.tif 000003
【図２】
2015145582.tif 000004
【図３】
2015145582.tif 000005
【図４】
2015145582.tif 000006
【図５】
2015145582.tif 000007
【図６】
2015145582.tif 000008
【図７】
2015145582.tif 000009
【図８】
2015145582.tif 000010
【図９】
2015145582.tif 000011
【図１０】
2015145582.tif 000012
【図１１】
2015145582.tif 000013
【図１２】
2015145582.tif 000014
【図１３】
2015145582.tif 000015
【図１４】
2015145582.tif 000016
【図１５】
2015145582.tif 000017
【図１６】
2015145582.tif 000018